(57)【要約】【課題】  水に溶かした状態でも脱臭菌を長期間生かしておくことによって、長期間、脱臭剤として使用することができる脱臭剤パックを提供する。【解決手段】  胞子の状態で澱粉に固定した粉末状のバチルス属菌（脱臭菌）２をパック１の封入部４ａに封入し、粉末状にしたバチルス属菌（脱臭菌）の栄養源３をパック１の封入部４ｂに封入した脱臭剤パック１で、この脱臭剤パック１を水に投入すると、栄養源が水に溶け出し、パチルス属菌（脱臭菌）は水中に出てくる。  水に溶けた栄養源がある状態で、水中のバチルス属菌（脱臭菌）は長期間生存できるので、脱臭剤として長期間使用することができる。【選択図】  図１
2006021018.tif 000002
【特許請求の範囲】
【請求項１】
粉末状にした胞子状態のバチルス属菌と、粉末状にしたバチルス属菌の栄養源とを、１つのパックに封入したことを特徴とする脱臭剤パック。
【請求項２】
粉末状にした胞子状態のバチルス属菌と、粉末状にしたバチルス属菌の栄養源とを、個別に、パックに封入したことを特徴とする脱臭剤パック。
【請求項３】
前記個別に封入されたパックを一体化したことを特徴とする請求項２に記載の脱臭剤パック。
【請求項４】
粉末状にした胞子状態のバチルス属菌と、粉末状にしたバチルス属菌の栄養源とを、個別に封入できるように複数の封入部を設けたパックに封入したことを特徴とする脱臭剤パック。
【請求項５】
前記粉末状にした胞子状態のバチルス属菌が、バチルス・フシホルミス（Ｂａｃｉｌｌｕｓ  Ｆｕｓｉｆｏｒｍｉｓ）菌を胞子の状態で、澱粉に固定したものであることを特徴とする請求項１から請求項４までのいずれかに記載の脱臭剤パック。
【請求項６】
前記粉末状にしたバチルス属菌の栄養源が、アミノ酢酸であることを特徴とする請求項１から請求項５までのいずれかに記載の脱臭剤パック。
【請求項７】
前記パックは耐水性があり、前記バチルス属菌を通し、且つ前記バチルス属菌より大きな物体は通さないことを特徴とする請求項１から請求項６までのいずれかに記載の脱臭剤パック。
【発明の詳細な説明】
【技術分野】
【０００１】  本発明は、脱臭効果のある微生物（以下脱臭菌と記載）を利用して臭いを消す脱臭剤に関する。
【背景技術】
【０００２】  脱臭の方法として、粉末のまま、又は水に溶かした脱臭菌を散布して、脱臭菌に悪臭成分を食べさせることによって、悪臭成分を他の物質に変化させて脱臭させる方法が知られている。
【発明の開示】
【発明が解決しようとする課題】
【０００３】  しかし、水に溶かした状態で脱臭菌を長く生かしておくことができず、一度作った溶液は短期間に使い切らなければならないという問題があった。【０００４】  そこで、本発明は上記課題を解決するためになされたもので、水に溶かした状態の脱臭菌を長期間生かしておくことによって、脱臭剤として長期間の使用を可能にする脱臭剤パックを提供することを目的とする。
【課題を解決するための手段】
【０００５】  上記課題を解決するため、本発明は、粉末状にした胞子状態のバチルス属菌と、粉末状にしたバチルス属菌の栄養源とを、１つのパックに封入した脱臭剤パックを提供する。
この脱臭剤はパチルス属菌の栄養源が含まれるため、バチルス属菌を長期間生かしておくことができる。【０００６】  また、本発明は、粉末状にした胞子状態のバチルス属菌と、粉末状にしたバチルス属菌の栄養源とを、個別に、パックに封入した脱臭剤パックを提供する。
この脱臭剤はバチルス属菌と栄養源とを個別のパックに封入したので、栄養源の分量変更、栄養源の材料変更等に対応することができる。【０００７】  さらに、個別に封入されたパックを一体化することができる。
こうすることによって、水溶液を作る場合に、バチルス属菌の入ったパックを容器に入れ、さらに、栄養源の入ったパックを入れるという２度の行為を行う必要はなく、一体化したパックを入れるという１度の行為で済むようになる。【０００８】  そして、本発明は、粉末状にした胞子状態のパチルス属菌と、粉末状にしたバチルス属菌の栄養源とを、個別に封入できるように複数の封入部を設けたパックに封入した脱臭剤パックを提供する。
こうすることによって、パックの製造が簡単、安価でできるようになる。【０００９】  また、前記粉末状にした胞子状態のバチルス属菌が、バチルス・フシホルミス（Ｂａｃｉｌｌｕｓ  Ｆｕｓｉｆｏｒｍｉｓ）菌を胞子の状態で、澱粉に固定したものである脱臭剤パックを提供する。
さらに、粉末状にしたバチルス属菌の栄養源として、アミノ酢酸を使用した脱臭剤パックを提供する。
そして、パックは耐水性があり、前記バチルス属菌を通し、且つ前記バチルス属菌より大きな物体を通さない材質である脱臭剤パックを提供する。
【発明の効果】
【００１０】  本発明によれば、脱臭剤パックには、粉末状のバチルス属菌（脱臭菌）と、粉末状にしたバチルス属菌の栄養源とを封入したので、脱臭剤パックを水に投入すると、栄養源が水に溶け出し、パチルス属菌は水中に出てくる。  水に溶けた栄養源がある状態で、水中のバチルス属菌は長期間生存できるので、脱臭剤として長期間使用することができる。
【発明を実施するための最良の形態】
【００１１】  以下、本発明の実施の形態について説明する。  なお、同一要素には同一符号を用い、重複する説明は省略する。
近年、脱臭菌を利用した脱臭剤が種々開発されており、バチルス属菌を胞子状態にしたものが、粉末の状態で提供されている。  胞子状態の脱臭菌は水分と温度によって活動を開始するので、脱臭菌を利用した粉末状の脱臭剤は、水に溶かしてその上澄みを対象物に散布するか、水分の多い対象物には直接、粉末のまま散布して使用する。
ところが、靴、スリッパ、カーテン等の対象物に水溶液の状態で噴霧する場合、脱臭剤に含まれる添加剤（澱粉等）が沈殿するのを待って上澄みを使用する必要がある。さもないと、添加剤（澱粉等）が対象物を汚損する可能性があった。【００１２】  前記欠点を解消する方法として、粉末状の脱臭剤をパックに封入し、必要なときにパックを容器に入れ、水を注ぎ、中の菌だけを出す方法が考えられる。  このパックを使用すると、上澄みを作る時間が不要となり、添加剤（澱粉等）がパック内に残り、脱臭菌のみが出るので、対象物を汚損することが無く、使用対象物が格段に拡大する。
さらに、添加物による目詰まりの心配は無いため、噴霧器内に水とパックを直接入れて使用することができるので、水に溶いてすぐに使用することができる。  また、噴霧器で水溶液を作るので、水溶液を作るための容器も不要となり、さらに、作った水溶液を噴霧器に入れる作業も必要がなく、作業を迅速に行うことができる。【００１３】  ところで、水に溶かした脱臭剤は、栄養源が無いために１日程度で脱臭菌が死滅してしまい、脱臭効果が無くなる。  脱臭菌が死滅する原因は栄養源が無いためであるから、適量の栄養源を添加すれば脱臭菌の生存期間を延ばすことができる。
したがって、脱臭菌と栄養源を封入したパックを用いれば、添加物が含まれず、脱臭菌の生存期間が長い水溶液状の脱臭剤を容易に作ることが可能になる。【００１４】  図１は、本発明に係る脱臭剤の一実施態様を示す一部切欠説明図である。  この脱臭剤パック１は、胞子の状態で澱粉に固定した粉末状のバチルス属菌（脱臭菌）２をパック１の封入部４ａに封入し、粉末状にしたバチルス属菌（脱臭菌）の栄養源３をパック１の封入部４ｂに封入したものである。
なお、粉末状にしたバチルス属菌（脱臭菌）の栄養源３は、菌の栄養源となるものであれば砂糖などでもよいが、脱臭剤を噴霧する対象物を汚損する恐れの無いものが望ましい。【００１５】  前記パック１は、不織布製のフィルター素材で作成したもので、バチルス属菌（脱臭菌）は通すが、澱粉は通さないものを使用している。  なお、パックは、バチルス属菌（脱臭菌）を通し、澱粉は通さないものであれば、不織布でなくてもよい。【００１６】  上記パック状脱臭剤は、必要な時にパックを容器に入れ、水を注ぐと、バチルス属菌（脱臭菌）と、その栄養源の水溶液ができる。  この水溶液を悪臭源に噴霧すると、バチルス属菌の働きにより、悪臭成分が処理され、脱臭効果が現れる。  水溶液に澱粉が含まれていないため、悪臭源が、靴、水周り等であっても、散布部分を汚損することはない。  また、この水溶液にはパチルス属菌（脱臭菌）の栄養源も含まれるので、栄養不足によってパチルス属菌（脱臭菌）が短期間に死滅することはない。【００１７】  図２は、第２の実施例を示すもので、１つの封入部４に、バチルス属菌（脱臭菌）２とその栄養源３を封入したものである。  この実施例では、両方を一緒にパックした場合、パック内が湿気を帯びるなどで脱臭菌が活動を始めた場合に問題が起きる可能性もあり、保管時の湿気対策を充分に行う必要がある。【００１８】  図３は、第３の実施例を示すもので、１つの封入部４に、バチルス属菌（脱臭菌）２と、その栄養源を封入したパック５とを一緒に封入したものである。  また、１つのパックに、バチルス属菌（脱臭菌）を封入したパック６と、バチルス属菌（脱臭菌）の栄養源３とを一緒に封入してもよい。
図４、図５は、個別に封入されたパックを一体化する方法の例である。
図４は、１つのパックに、バチルス属菌（脱臭菌）を封入したパック６と、その栄養源を封入したパック５とを一緒に封入したものである。
図５は、バチルス属菌（脱臭菌）を封入したパック６と、その栄養源を封入したパック５とを一体化したものである。  一体化とは、ステープラー、糸、接着剤等を使用し、容易に分離しないようにすることであり、その方法を限定するものではない。
【図面の簡単な説明】
【００１９】
【図１】本発明第１実施例の一部切欠説明図
【図２】本発明第２実施例の一部切欠説明図
【図３】本発明第３実施例の一部切欠説明図
【図４】本発明第４実施例の一部切欠説明図
【図５】本発明第５実施例の一部切欠説明図
【符号の説明】
【００２０】    １，１１…脱臭剤パック
２…粉末状のバチルス属菌（脱臭菌）
３…粉末状にしたバチルス属菌（脱臭菌）の栄養源
４…封入部
５…バチルス属菌（脱臭菌）を封入したパック
６…バチルス属菌（脱臭菌）の栄養源を封入したパック
【図１】
2006021018.tif 000003
【図２】
2006021018.tif 000004
【図３】
2006021018.tif 000005
【図４】
2006021018.tif 000006
【図５】
2006021018.tif 000007